(57)【要約】【課題】本発明は、鳥獣害対策としてロケット花火を用いる場合に、装填後獲物から目を離さない状態を維持したまま、安全且つ確実に着火し、的確に狙いながら発射することにより高い威嚇効果を得ることの出来る銃型ロケット花火点火装置を提供する。 【解決手段】ロケット花火の竹ひご部分が挿入可能な筒体である軸支持部と、前記軸支持部に設置したロケット花火の導火線への着火時に風等の影響を防除する着火室と、前記着火室で前記着火室に引き込んだ導火線に点火する機構を有する点火部と本体を手で支持可能なグリップとを備え、前記着火室は点火部付近に着火室内の換気を促す通気穴と本体上部に開口状に配した排気口とを有しており、さらに前記着火室は、内部にロケット花火の噴射炎を前記排気口へと誘導するスロープを配し前記排気口には前記噴射炎をさらに上方に誘導する可動式の蓋兼防炎板を有していることを特徴とする銃型ロケット花火点火装置。 【選択図】   図１
2013015230.tif 000002
【特許請求の範囲】
【請求項１】
ロケット花火の竹ひご部分が挿入可能な筒体である軸支持部と、
前記軸支持部に設置したロケット花火の導火線の半分程度が差し込まれる部屋状の着火室と、
前記着火室内で前記着火室に引き込んだ導火線に点火する機構を有する点火部と
片手で本体を支持可能なグリップとを備え、
前記着火室は本体上部に開口状に配した排気口を有しており、
さらに前記着火室は、内部に、ロケット花火の噴射炎を前記排気口へと誘導可能なスロープを配し
前記排気口には前記噴射炎をさらに上方に誘導可能な可動式の蓋兼防炎板を有している
ことを特徴とする銃型ロケット花火点火装置。
【請求項２】
請求項1に記載された銃型ロケット花火点火装置において、
導火線に点火する機構を有する点火部として
電子ライターの火口を前記着火室に向け差し込むことが可能なライター固定部と、
電子ライターを挟み込み固定するライター固定具と、
前記電子ライターの着火レバーを梃子等により押下げ点火する引き金部とを備え、
前記着火室は前記ライター固定部に電子ライターを固定した状態の電子ライターの火口付近に通気穴を有しており、
前記ライター固定部はライターの火口が前記ロケット花火の噴射炎の噴射方向と同じ向きまたは垂直方向になるように形成されている
ことを特徴とする銃型ロケット花火点火装置。
【請求項３】
請求項1に記載された銃型ロケット花火点火装置において、
導火線に点火する機構を有する点火部として
前記軸支持部に固定したロケット花火の導火線に点火時に接するように配置した電熱線と、
前記グリップ内部に配置した電池と、
前記電熱線と前記電池との導通を制御するスイッチと、
前記軸支持部に設置したロケット花火の導火線と前記電熱線の下に回転可能に配した着火補助棒と、
前記スイッチと前記着火補助棒を同時に作動可能に配した引き金部とを備える
ことを特徴とする銃型ロケット花火点火装置。
【発明の詳細な説明】
【技術分野】
【０００１】
本発明は、銃型ロケット花火点火装置の技術分野に関する。
【背景技術】
【０００２】
近年、動物、たとえばカラスや猿などは、害鳥獣となって農作物を荒らしたり住民に危害加える事態が発生している。
【０００３】
そこで、農地、住宅地、飛行場などでは、花火本体がロケットのように飛翔するロケット花火を用い、その発射音および爆発音、花火本体の突然の飛翔によって鳥や猿をおどして追い払う工夫がなされている。
【０００４】
ロケット花火は、火花を飛散させながら発射されるので、安全性の観点から、従来は、地面や空き瓶にロケット花火を差し込むなどしてから点火し使用している。
【０００５】
従来の鳥獣害対策としてのロケット花火の使用方法は、本来の遊びとしてのロケット花火の発射と同様に、それらを地面に置いて使用するものであり、ロケット花火を上に向けて垂直に発射するものであるから、任意の方向に発射させることができない。
【０００６】
また、携行利用する際の安全性を確保する観点から図３のような、
先端Ｐ側が開放された筒体２７を有する棒状体を用いて、
その筒体２７にロケット花火の枝部が挿入支持される耐火性のロケット花火発射棒２３を形成し、
耐火性保護板２４に発射棒２３を貫通させ、
その発射棒２３の当該先端Ｐ側に寄った位置でその筒体２７側に近づくようにその保護板２４を形成するとともに発射棒２３に密着固定し、
その発射棒２３からのロケット花火の発射によって動物をおどせるようにしたことを特徴とするロケット花火発射器２１が提唱されている。
【特許文献１】特開２００５−１２１２６８
【０００７】
しかし、前記ロケット花火発射器は任意の方向に発射することは出来るが、点火装置が一体ではないため、ロケット花火の装填作業や点火作業に手間取り対象物から目を離さざるを負えない。
【０００８】
さらに、強い風などが起こる状況下では着火が上手くいかない事も間々ある。
【発明の概要】
【発明が解決しようとする課題】
【０００９】
しかるに、本発明が解決しようとする課題は以下のとおりである。
【００１０】
第１に、本発明が解決しようとする課題は、鳥獣害対策としてロケット花火を用いる場合に、装填後獲物から目を離さない状態を維持したまま、安全且つ確実に着火し、的確に狙いながら発射することにより高い威嚇効果を得ることの出来る銃型ロケット花火点火装置を提供することを目的とする。
【００１１】
第２に、本発明が解決しようとする課題は、経済性・実用性に優れた点火部を具備した銃型ロケット花火点火装置を提供することを目的とする。
【課題を解決するための手段】
【００１２】
上記課題を解決するための手段として、銃型ロケット花火点火装置は
第１に
ロケット花火の竹ひご部分が挿入可能な筒体である軸支持部と、
前記軸支持部に設置したロケット花火の導火線の半分程度が差し込まれる部屋状の着火室と、
前記着火室内で前記着火室に引き込んだ導火線に点火する機構を有する点火部と
片手で本体を支持可能なグリップとを備え、
前記着火室は本体上部に開口状に配した排気口を有しており、
さらに前記着火室は、内部に、ロケット花火の噴射炎を前記排気口へと誘導可能なスロープを配し
前記排気口には前記噴射炎をさらに上方に誘導可能な可動式の蓋兼防炎板を有している
ことを特徴とする。
【００１３】
本発明は、前記軸支持部にセットされたロケット花火の導火線を着火室に誘引し、着火室内で点火することにより、風などの外的な影響を受けにくく確実な着火を望むことが出来る。
【００１４】
また、点火部を内蔵しているため、ロケット花火装填後は、片手で容易に任意のタイミングで点火することが出来るので、効果的に威嚇することが出来る。
【００１５】
さらに、着火室は内部に上方に向いたスロープと、上方に有する排気口と、それに付属する蓋兼防炎板を備えることにより、ロケット花火の噴射炎を上方へとスムーズに排出し、安全に運用することが出来ることを特徴とする。
【００１６】
本発明の、銃型ロケット花火点火装置は、
第２の課題に対応して
上記銃型ロケット花火点火装置において、
導火線に点火する機構を有する点火部として
電子ライターの火口を前記着火室に向け差し込むことが可能なライター固定部と、
電子ライターを挟み込み固定するライター固定具と、
前記電子ライターの着火レバーを梃子等により押下げ点火する引き金部とを備え、
前記着火室は前記ライター固定部に電子ライターを固定した状態の電子ライターの火口付近に通気穴を有しており、
前記ライター固定部はライターの火口が前記ロケット花火の噴射炎の噴射方向と同じ向きまたは垂直方向になるように形成されている
ことを特徴とする銃型ロケット花火点火装置である。
【００１７】
本発明は電子ライターの火口を、ロケット花火の噴射炎に対し同じ向き、または垂直方向となるように配置し点火することで、火口を直接花火の噴射炎に晒すことにより起こる、電子ライターのガスノズルの詰まりや、ゴミが電極に付着しスパークしづらくなることを防ぐことが出来る。
【００１８】
さらに、梃子等を利用した引き金を利用し間接的に点火することにより、ロケット花火の点火時に起こりがちな火傷を防ぐことが出来る。
【００１９】
本発明の、銃型ロケット花火点火装置は、
第２の課題に対応して、
上記銃型ロケット花火点火装置において、
導火線に点火する機構を有する点火部として
前記軸支持部に固定したロケット花火の導火線に点火時に接するように配置した電熱線と、
前記グリップ内部に電池と、
前記電熱線と前記電池との導通を制御するスイッチと、
前記軸支持部に設置したロケット花火の導火線と前記電熱線の下に回転可能に配した着火補助棒と、
前記スイッチと前記着火補助棒を同時に作動可能に配した引き金部とを備える
ことを特徴とする。
【００２０】
本発明は、電熱線を点火部とすることにより、電池の交換、または充電により半永久的に繰り返し使用が可能であり、経済性に優れる。
【００２１】
また、電気スイッチにより間接的に点火するので、点火時の火傷を防ぐことが出来る。
【発明の効果】
【００２２】
上述したように本発明では、鳥獣害対策としてロケット花火を用いる場合に、装填後獲物から目を離さない状態を維持したまま、安全且つ確実に着火し、的確に狙いながら発射することにより高い威嚇効果を得ることの出来る銃型ロケット花火点火装置を提供することが達成される。
【００２３】
また、本発明では経済性・実用性に優れた点火部を具備した銃型ロケット花火点火装置を提供することが達成される。
【発明を実施するための形態】
【００２４】
本発明に係る銃型ロケット花火点火装置ａの好適な実施形態を、以下図１−２にしたがって説明する。
【００２５】
当該銃型ロケット花火点火装置ａは、有害鳥獣駆除または威嚇の方法としてロケット花火１を用いる際に、安全に点火及び発射することを目的とする。
【００２６】
軸支持部３は図２で示す通り、ロケット花火１の竹ひご軸部２を銃型ロケット花火点火装置ａに対し水平に差込むことの出来る耐火性のパイプを設置する。
【００２７】
導火線４はロケット花火１を軸支持部３にセットした際に着火室５に到達し電子ライター７の火口より着火する。
【００２８】
着火室５は噴射炎を上方へと誘導する電子ライター７の火口付近に通気穴１１と本体上面に開口状に設けた排気口１２を配置する。
【００２９】
また、通気穴１１は図１（ロ）（ハ）に示す通り、本体側面の片側にのみ設ける。
【００３０】
これは本発明を右手に持ち使用した際に、ロケット花火１発射時に通気穴１１から漏れ出でる噴射炎が使用者にかからないように配慮したものである。
【００３１】
さらに、排気口１２には図１に示す通り、前記噴射炎を上方に誘導し噴射炎が使用者にかからないようにするため、可動式の蓋兼防炎板１０を有する。
【００３２】
前記蓋兼防炎板１０は、蓋兼防炎板回転軸１３を軸に開閉し、閉口時に同時に通気穴１１も塞ぎ、通気穴１１と排気口１２の蓋となり、着火室内の換気を妨げるため意図しない電子ライター７の着火を防止する。
【００３３】
また、前記蓋兼防炎板１０は、本体に密着するように納まるため、携行時にかさばることがない。
【００３４】
前記電子ライター７は図２で示す通り、前記電子ライター７の火口がロケット花火１の噴射方向と同一方向を向いた位置でライター固定具８により固定されるため、着火時に直接噴射炎が前記電子ライター７の火口にかかりにくい構造となって点火不良の原因になりづらい。
【００３５】
引き金部６は図２で示す通り、引き金部回転軸を軸に回転し、電子ライター７の着火レバーを梃子により押下げ点火することにより、間接的にロケット花火１に点火することが可能であり、点火時の火傷を防止することが出来る。
【００３６】
グリップ９は本発明を自然に握った状態で引き金部６を引くことの出来るような大きさ太さにすることが望ましい。
【００３７】
また、図３図４に示す通り、点火部として電熱線２２を点火時にロケット花火導火線４に接するように配置しグリップ９内に取替えや充電が可能に配した電池１９とをスイッチ１８を介し配線し、スイッチ１８の開閉により点火することが可能である。
【００３８】
これは、引き金６を引いた際に着火補助棒１６が着火補助棒回転軸１７を軸に回転しロケット花火導火線４を電熱線２２に押し付けるとともに、スイッチ１８を押し下げ電熱線２２を加熱しロケット花火導火線４に点火することが出来る。
【００３９】
またさらに、軸支持部と、着火室５と、点火部と、通気穴１１と、排気口１２とをそれぞれ２つずつ具備し、ロケット花火を２本同時にセットし、２本を別々に点火発射することが可能な連射式の銃型ロケット花火点火装置を提供することが出来る。
【図面の簡単な説明】
【００４０】
【図１】本発明に係る銃型ロケット花火点火装置の実施の形態を示す側面図及び蓋兼防炎板の斜視図及び展開図であり、（イ）本体右側面図−蓋兼防炎板閉時（ロ）本体右側面図−蓋兼防炎板開時（ハ）本体左側面図−蓋兼防炎板開時（ニ）本体左側面図−蓋兼防炎板閉時（ホ）蓋兼防炎板の斜視図（へ）蓋兼防炎板の展開図である。
【図２】図１の銃型ロケット花火点火装置の使用例を示す縦断面図であり、（ト）本体右側面図−本体ロケット花火装着時（チ）本体右側面−本体ロケット花火装着時−電子ライター装着状態を示す縦断面図（リ）本体右側面−本体ロケット花火装着後点火時−電子ライター装着状態を示す縦断面図である。
【図３】電熱線と電池を用いた銃型ロケット花火点火装置の使用例を示す縦断面図であり、（ヌ）本体右側面−電池・電熱線搭載本体ロケット花火装着時−縦断面図（ル）本体右側面−電池・電熱線搭載本体ロケット花火装着後点火時−縦断面図（ヲ）電池電熱線回路図と電熱線支持部拡大図である。
【図４】図３の作動部の拡大図であり、（ワ）電池・電熱線搭載本体ロケット花火装着時−作動部拡大図（カ）電池・電熱線搭載本体ロケット花火装着後点火時−作動部拡大図である。
【図５】従来のロケット花火発射器を示す斜視図である。
【符号の説明】
【００４１】
ａ  銃型ロケット花火点火装置
１  ロケット花火
２  ロケット花火の竹ひご軸部
３  軸支持部
４  ロケット花火導火線
５  着火室
６  引き金部
７  電子ライター
８  ライター固定具
９  グリップ
１０  蓋兼防炎板
１０−２  蓋兼防炎板展開図
１１  通気穴
１２  排気口
１３  蓋兼防炎板回転軸
１４  引き金部回転軸
１５  スロープ
１６  着火補助棒
１７  着火補助棒回転軸
１８  スイッチ
１９  電池
２０  配線
２１  電熱線支持部
２２  電熱線
Ｐ  先端
２１  ロケット花火発射器
２３  発射棒
２４  保護板
２７  筒体
３１  ボス部
３３  カバー
【図１】
2013015230.tif 000003
【図２】
2013015230.tif 000004
【図３】
2013015230.tif 000005
【図４】
2013015230.tif 000006
【図５】
2013015230.tif 000007